(57)【要約】  【課題】  終了または停止した案件を適切に再実行させる作業管理装置、作業管理プログラムを提供する。  【解決手段】  ワークフローの定義を記憶する定義保管部１１と、定義保管部１１に保管されている定義に基づいて案件の作業の管理を行う案件・作業管理部１４、案件・作業管理部１４により管理される案件の作業履歴を記憶する案件履歴保管部１２、終了または停止している案件の再開条件を保管する再開条件・履歴保管部１３、案件履歴保管部１２に保管されている作業履歴と再開条件・履歴保管部１３に保管されている再開条件とに基づいて再開する案件の作業状態を決定し、案件・作業管理部１４に該決定した作業状態から案件の作業を再開させる再開管理部１５を具備する。【選択図】        図３
2010086460.tif 000002
【特許請求の範囲】
【請求項１】
起案から完了までに情報処理装置による複数の処理が施され各処理が施される毎に該処理の結果に応じた属性値を保持する案件情報に対し、施される処理の順序と各処理における作業内容とを定めた定義に基づいて施された処理の内容を表す情報と該処理が施された時を表す情報とを含む作業履歴を取得する取得手段と、
前記定義で定められた処理のうち終端となる処理が終了している状態で停止している案件情報又は異常停止している案件情報の再開条件を記憶する条件記憶手段と、
前記定義で定められた処理のうち終端となる処理が終了している状態で停止している案件情報又は異常停止している案件情報の再開要求を受け付ける受付手段と、
前記取得手段が取得した作業履歴と前記条件記憶手段に記憶されている再開条件とに基づいて、前記受付手段が再開要求を受け付けた案件情報を再開させる際の始端となる処理を前記定義で定められた複数の処理から決定する決定手段と
を具備することを特徴とする作業管理装置。
【請求項２】
起案から完了までに情報処理装置による複数の処理が施され、各処理が施される毎に該処理の結果に応じた属性値を保持する案件情報に対し、該案件情報に施される処理の順序と各処理における作業内容とを定めた定義を記憶する定義記憶手段と、
前記定義記憶手段に記憶されている定義に基づいて、案件情報に施される処理の順序と各処理における作業の実施状態とを管理する管理手段と、
前記管理手段により管理される案件情報に対して施された処理の内容を表す情報と該処理が施された時を表す情報とを作業履歴として記憶する履歴記憶手段と、
前記管理手段に前記決定手段が決定した処理から前記再開が要求された案件情報に対する処理を再開させる再開手段と
をさらに具備することを特徴とする請求項１記載の作業管理装置。
【請求項３】
前記決定手段は、再開する案件情報が停止した際に有していた属性値を、該案件情報を再開する際の属性値として設定し、
前記再開手段は、前記決定手段が設定した属性値が変更されたことを条件に該案件情報の作業を再開させる
ことを特徴とする請求項２記載の作業管理装置。
【請求項４】
前記受付手段は、予め定めた期間以上の間、前記定義で定められたいずれの処理も施されていない案件情報に対する再開要求を受け付けることを特徴とする請求項１又は２に記載の作業管理装置。
【請求項５】
起案から完了までに情報処理装置による複数の処理が施され各処理が施される毎に該処理の結果に応じた属性値を保持する案件情報に対し、施される処理の順序と各処理における作業内容とを定めた定義に基づいて施された処理の内容とを表す情報該処理が施された時を表す情報とを含む作業履歴を取得する取得処理と、
前記定義で定められた処理のうち終端となる処理が終了している状態で停止している案件情報又は異常停止している案件情報の再開要求を受け付ける受付処理と、
前記定義で定められた処理のうち終端となる処理が終了している状態で停止している案件情報又は異常停止している案件情報の再開条件と前記取得処理で取得した作業履歴とに基づいて、前記定義で定められた複数の処理から前記受付処理で再開要求を受け付けた案件情報を再開させる際の始端となる処理を決定する決定処理と
をコンピュータに実行させることを特徴とする作業管理プログラム。
【請求項６】
前記定義に基づいて、案件情報に施される処理の順序と各処理における作業の実施状態とを管理する管理処理と、
前記管理処理により管理される案件情報に対して施された処理の内容を表す情報と該処理が施された時を表す情報とを作業履歴として記憶手段に記憶する記憶処理と、
前記管理処理に前記決定処理で決定した処理から前記再開が要求された案件情報に対する処理を再開させる再開処理と
をさらに前記コンピュータに実行させることを特徴とする請求項５記載の作業管理プログラム。
【請求項７】
前記決定処理は、再開する案件情報が停止した際に有していた属性値を、該案件情報を再開する際の属性値として設定し、
前記再開処理は、前記決定処理で設定した属性値が変更されたことを条件に該案件情報の作業を再開させる
ことを特徴とする請求項６記載の作業管理プログラム。
【請求項８】
前記受付処理は、予め定めた期間以上の間、前記定義で定められたいずれの処理も施されていない案件情報に対する再開要求を受け付けることを特徴とする請求項５又は６に記載の作業管理プログラム。
【発明の詳細な説明】
【技術分野】
【０００１】
本発明は、作業管理装置、作業管理プログラムに関する。
【背景技術】
【０００２】
ワークフローシステムでは、ワークフロー定義にしたがって案件を処理することで、案件に対する適切な処理を実現している。
【０００３】
ワークフローシステムに関する技術としては、ワークフローシステムの特定の作業で必要となる案件を任意の数だけ複製するものや（例えば、特許文献１参照）、案件実行途中に障害が発生した場合に、当該案件を終了状態にし、その終了とした案件のデータをもとに障害発生直前の案件と同じデータを持つ別案件を作成するもの（例えば、特許文献２参照）、任意の作業状態から自由に案件を再実行するもの（例えば、特許文献３参照）等がある。
【特許文献１】特開平１１−２５１８５号公報
【特許文献２】特開２００１−３５６９４６号公報
【特許文献３】特開２００７−１１５０４０号公報
【発明の開示】
【発明が解決しようとする課題】
【０００４】
本発明は、終了または停止した案件を適切に再実行させる作業管理装置、作業管理プログラムを提供することを目的とする。
【課題を解決するための手段】
【０００５】
上述した目的を達成するため、請求項１の発明は、起案から完了までに情報処理装置による複数の処理が施され各処理が施される毎に該処理の結果に応じた属性値を保持する案件情報に対し、施される処理の順序と各処理における作業内容とを定めた定義に基づいて施された処理の内容を表す情報と該処理が施された時を表す情報とを含む作業履歴を取得する取得手段と、前記定義で定められた処理のうち終端となる処理が終了している状態で停止している案件情報又は異常停止している案件情報の再開条件を記憶する条件記憶手段と、前記定義で定められた処理のうち終端となる処理が終了している状態で停止している案件情報又は異常停止している案件情報の再開要求を受け付ける受付手段と、前記取得手段が取得した作業履歴と前記条件記憶手段に記憶されている再開条件とに基づいて、前記受付手段が再開要求を受け付けた案件情報を再開させる際の始端となる処理を前記定義で定められた複数の処理から決定する決定手段とを具備することを特徴とする。
【０００６】
また、請求項２の発明は、請求項１の発明において、起案から完了までに情報処理装置による複数の処理が施され、各処理が施される毎に該処理の結果に応じた属性値を保持する案件情報に対し、該案件情報に施される処理の順序と各処理における作業内容とを定めた定義を記憶する定義記憶手段と、前記定義記憶手段に記憶されている定義に基づいて、案件情報に施される処理の順序と各処理における作業の実施状態とを管理する管理手段と、前記管理手段により管理される案件情報に対して施された処理の内容を表す情報と該処理が施された時を表す情報とを作業履歴として記憶する履歴記憶手段と、前記管理手段に前記決定手段が決定した処理から前記再開が要求された案件情報に対する処理を再開させる再開手段とをさらに具備することを特徴とする。
【０００７】
また、請求項３の発明は、請求項２の発明において、前記決定手段は、再開する案件情報が停止した際に有していた属性値を、該案件情報を再開する際の属性値として設定し、前記再開手段は、前記決定手段が設定した属性値が変更されたことを条件に該案件情報の作業を再開させることを特徴とする。
【０００８】
また、請求項４の発明は、請求項１又は２の発明において、前記受付手段は、予め定めた期間以上の間、前記定義で定められたいずれの処理も施されていない案件情報に対する再開要求を受け付けることを特徴とする。
【０００９】
また、請求項５の発明は、起案から完了までに情報処理装置による複数の処理が施され各処理が施される毎に該処理の結果に応じた属性値を保持する案件情報に対し、施される処理の順序と各処理における作業内容とを定めた定義に基づいて施された処理の内容とを表す情報該処理が施された時を表す情報とを含む作業履歴を取得する取得処理と、前記定義で定められた処理のうち終端となる処理が終了している状態で停止している案件情報又は異常停止している案件情報の再開要求を受け付ける受付処理と、前記定義で定められた処理のうち終端となる処理が終了している状態で停止している案件情報又は異常停止している案件情報の再開条件と前記取得処理で取得した作業履歴とに基づいて、前記定義で定められた複数の処理から前記受付処理で再開要求を受け付けた案件情報を再開させる際の始端となる処理を決定する決定処理とをコンピュータに実行させることを特徴とする。
【００１０】
また、請求項６の発明は、請求項５の発明において、前記定義に基づいて、案件情報に施される処理の順序と各処理における作業の実施状態とを管理する管理処理と、前記管理処理により管理される案件情報に対して施された処理の内容を表す情報と該処理が施された時を表す情報とを作業履歴として記憶手段に記憶する記憶処理と、前記管理処理に前記決定処理で決定した処理から前記再開が要求された案件情報に対する処理を再開させる再開処理とをさらに前記コンピュータに実行させることを特徴とする。
【００１１】
また、請求項７の発明は、請求項６の発明において、前記決定処理は、再開する案件情報が停止した際に有していた属性値を、該案件情報を再開する際の属性値として設定し、前記再開処理は、前記決定処理で設定した属性値が変更されたことを条件に該案件情報の作業を再開させることを特徴とする。
【００１２】
また、請求項８の発明は、請求項５又は６の発明において、前記受付処理は、予め定めた期間以上の間、前記定義で定められたいずれの処理も施されていない案件情報に対する再開要求を受け付けることを特徴とする。
【発明の効果】
【００１３】
請求項１の発明によれば、終了または停止した案件情報に対する処理を再開する際の始端となる処理を管理対象とすることが可能となる。
【００１４】
また、請求項２の発明によれば、案件情報に対する処理を管理するとともに、終了または停止した案件情報に対する処理を再開する際の始端となる処理を管理対象とすることが可能となる。
【００１５】
また、請求項３の発明によれば、案件情報の処理の再開に際して、案件情報の属性値の見直しを行うことが可能となる。
【００１６】
また、請求項４の発明によれば、予め定めた期間以上の間放置されていた案件情報を管理対象とし、処理を再開させることが可能となる。
【００１７】
また、請求項５の発明によれば、終了または停止した案件情報に対する処理を再開する際の始端となる処理を管理対象とすることが可能となる。
【００１８】
また、請求項６の発明によれば、案件情報に対する処理を管理するとともに、終了または停止した案件情報に対する処理を再開する際の始端となる処理を管理対象とすることが可能となる。
【００１９】
また、請求項７の発明によれば、案件情報の処理の再開に際して、案件情報の属性値の見直しを行うことが可能となる。
【００２０】
また、請求項８の発明によれば、予め定めた期間以上の間放置されていた案件情報を管理対象とし、処理を再開させることが可能となる。
【発明を実施するための最良の形態】
【００２１】
以下、本発明に係る作業管理装置、作業管理プログラムの一実施の形態について、添付図面を参照して詳細に説明する。
【実施例１】
【００２２】
図１は、ワークフローシステムの構成例を示した図である。同図に示すように、ワークフローシステムは、作業管理装置１と複数の入出力装置２（２−１〜２−ｎ）により構成される。作業管理装置１は、作業手順を定めたワークフローに従って、案件に対する作業を管理する。案件とは、ワークフローで定められた手順で作業を行う際の情報を有するもので、各作業における結果を属性値として有している。例えば、消耗品等の購入申請を行うためのワークフローでは、申請理由や金額等を属性値として有し、承認者の承認等の処理を経て、その結果を属性値としてさらに有することとなる。入出力装置２は、ワークフローの定義や、案件に対する操作、終了または停止した案件を再開するための条件の記述等を行う。ここでは、案件の終了は、案件の起案者の意図と異なるワークフローの終端での終了、例えば、購入申請を行うためのワークフローでは、発注待ち以外での終了を意味し、停止とは、何らかの異常で処理が停止している状態を意味する。作業管理装置１と入出力装置２は、いずれも、コンピュータ等の情報処理装置、例えば、図２に示すような構成を有する情報処理装置でプログラムを実行することで実現される。
【００２３】
図２は、情報処理装置の構成例の概略を示した図である。同図に示すように、情報処理装置３は、演算部３１と、記憶部３２、一時記憶部３３、入出力部３４、通信部３５、記憶装置３６を有している。
【００２４】
演算部３１は、演算処理を行うもので、例えば、ＣＰＵ（Central Processing Unit）等のプロセッサにより実現されるものである。記憶部３２は、情報等を記憶するもので、例えば、ＲＯＭ（Read Only Memory）、不揮発性メモリ(Nonvolatile Memory)等のメモリで実現されるものである。一時記憶部３３は、情報等を一時的に記憶するもので、例えば、ＲＡＭ（Random Access Memory）等のメモリで実現されるものである。入出力部３４は、情報等を表示するためのディスプレイ等の表示装置４や情報等を入力するためのキーボード等の入力装置５を接続するためのインタフェイスである。通信部３５は、通信手段を介して通信を行うためのインタフェイスで、例えば、ネットワークアダプタで実現されるものである。記憶装置３６は、情報等を記憶するもので、例えば、磁気ディスク等で実現されるものである。
【００２５】
図１に示した作業管理装置１と入出力装置２は、それぞれ、記憶装置３６（または相当する構成）にプログラムを記憶し、これを演算部３１（または相当する構成）等が実行することにより実現される。
【００２６】
次に、作業管理装置１と入出力装置２の機能的な構成を説明する。図３は、作業管理装置１と入出力装置２の機能的な構成の構成例を示した図である。なお、同図に示す各機能部は、情報処理装置でプログラムを実行することにより実現されるものである。
【００２７】
同図に示すように、作業管理装置１は、定義保管部１１と案件履歴保管部１２、再開条件・履歴保管部１３、案件・作業管理部１４、再開管理部１５を有している。また、入出力装置２−１、入出力装置２−２、入出力装置２−３は、それぞれ、定義記述部２１、案件操作部２２、再開条件記述部２３を有している。
【００２８】
定義保管部１１は、ワークフローの定義を保管する。案件履歴保管部１２は、ワークフロー定義にしたがって処理される案件に関する履歴を保管する。再開条件・履歴保管部１３は、案件の再開条件と再開要求履歴を保管する。案件・作業管理部１４は、案件のルーティングや作業の実行処理を行う。再開管理部１５は、再開要求の受け付けや、再開要求された案件の作業状態の取得、案件・作業管理部１４への案件の再開指示等を行う。定義記述部２１は、ワークフロー定義の入力を受け付けるインタフェイスである。案件操作部２２は、案件に対する操作を行うインタフェイスである。再開条件記述部２３は、案件を再開する際の再開条件を記述するインタフェイスである。
【００２９】
なお、図３に示した構成例では、定義記述部２１、案件操作部２２、再開条件記述部２３は、入出力装置２がプログラムを実行することにより実現される機能部としているが、図４に示すように、定義記述部２１、案件操作部２２、再開条件記述部２３を作業管理装置１がプログラムを実行することにより実現される機能部とし、入出力装置２は、それぞれの機能部と通信を行うことで、各機能部を操作する構成とすることもできる。
【００３０】
次に、作業管理装置１による再開処理の動作について説明するが、ここでは、作業管理装置１が図５に示すワークフロー定義にしたがった案件を処理する場合を例として説明する。
【００３１】
図５に示したワークフローの定義例では、作業として、「開始」、「購入申請」、「部門長承認」、「却下終了」、「承認保留」、「調達」、「在庫切れ終了」、「発注待ち」があり、「購入申請」については、「開始」の作業後に行うものと、「部門長承認」の作業後に行うものがある。このワークフロー定義例を図式化すると、図６に示すようになる。また、図６には、図７に示す「案件１」、「案件２」、「案件３」、「案件４」、「案件５」の各状態も示している。
【００３２】
作業管理装置１による再開処理は、再開条件・履歴保管部１３に再開条件記述部２３により記述された再開条件を利用するが、図５に示したワークフローの定義例における再開条件は、例えば、図８に示すようなものとなる。図８に示した例では、終了または停止している案件の作業状態と任意に加えられた追加条件の両者を再開条件とし、各再開条件に合致した案件の処理を再開する場合の作業状態を再開状態として設定している。また、再開条件としては、終了または停止している案件の作業状態を利用せずに、案件の種別、例えば、「Ａさんの起案した案件」を「部門長承認」から再開するように設定することも可能である。再開条件の記述は、例えば、再開条件記述部２３が提供する図９に示すような画面から行う。
【００３３】
続いて、作業管理装置１による再開処理の流れを説明する。図１０は、再開処理の流れを示すフローチャートである。
【００３４】
再開管理部１５は、案件の再開要求を受け付けると再開処理を開始し、まず、該当する案件の停止時の状態を案件・作業管理部１４から取得する（ステップ１０１）。案件・作業管理部１４は、各案件の実行状態を図７に示したような情報として管理しており、これを利用して案件の停止時の状態を取得することができる。また、案件の停止時の状態を案件履歴保管部１２に保管されている履歴から取得するようにしてもよい。案件履歴保管部１２に保管されている履歴は、例えば、図１１に示すようなものであり、該当案件のうち、終了日時の無い作業が停止持の状態に相当する。
【００３５】
続いて、再開管理部１５は、再開条件・履歴保管部１３に保管されている再開条件に当該案件に該当するものがあるか否かを確認し、該当する再開条件があれば（ステップ１０２でＹＥＳ）、さらに当該案件が再開可能か否かを確認する。その結果、再開可能であれば（ステップ１０３でＹＥＳ）、再開条件に基づいて案件の再開時の再開状態を決定する（ステップ１０４）。また、再開条件・履歴保管部１３に保管されている再開条件に当該案件に該当するものが無ければ（ステップ１０２でＮＯ）、当該案件の停止直前の作業状態を取得し、再開状態として決定する（ステップ１０５）。
【００３６】
再開状態が決定すると、再開管理部１５は、案件・作業管理部１４に該当案件の処理の再開を指示し、これに応じて案件・作業管理部１４が作業状態を新規に作成し（ステップ１０６）、作成した作業状態を「実行中」に変更し（ステップ１０７）、当該案件の直前の作業状態での値を作成した作業状態の初期値として取得する（ステップ１０８）。案件・作業管理部１４が作業状態を新規に作成することにより、案件・作業管理部１４が管理する案件の実行状態は、図７に示す情報から図１２に示す情報に更新される。また、案件・作業管理部１４は、案件の作業状態での値を、図１３（ａ）に示すような定義とともに、図１３（ｂ）に示す情報として管理しており、これを利用して新たに作成した作業状態の初期値とする。
【００３７】
案件・作業管理部１４が作業状態を新規に作成するか、該当案件が再開条件により再開不能と判断した場合には（ステップ１０３でＮＯ）、再開管理部１３は、これらの処理を再開履歴として、再開条件・履歴保管部１３に追加保管し（ステップ１０９）、再開処理を終了する。再開条件・履歴保管部１３に追加保管する再開履歴は、再開処理が可能であった場合には、図１４（ａ）に示すような履歴であり、再開処理が不能であった場合には、図１４（ｂ）に示すような履歴である。
【００３８】
このような処理により、例えば、図６に示した「案件１」、「案件２」、「案件３」、「案件４」、「案件５」は、それぞれ、図１５に示すように、「購入申請」から再開（「案件１」）、「部門長承認」から再開（「案件２」、「案件３」）、再開不能（「案件４」、「案件５」）のように処理される。
【実施例２】
【００３９】
実施例２では、再開条件・履歴保管部１３に保管されている再開条件に、再開後の挙動が指定されている場合を説明する。再開後の挙動は、例えば、図１６に示すように再開条件として記述されるもので、再開時の初期値を条件で指定したり、初期値として入力された値の変更を要求したりするものである。
【００４０】
次に、実施例２での作業管理装置１による再開処理の流れを説明する。図１７は、再開処理の流れを示すフローチャートである。
【００４１】
再開管理部１５は、案件の再開要求を受け付けると再開処理を開始し、まず、該当する案件の停止時の状態を案件・作業管理部１４から取得する（ステップ２０１）。
【００４２】
続いて、再開管理部１５は、再開条件・履歴保管部１３に保管されている再開条件に当該案件に該当するものがあるか否かを確認し、該当する再開条件があれば（ステップ２０２でＹＥＳ）、さらに当該案件が再開可能か否かを確認する。その結果、再開可能であれば（ステップ２０３でＹＥＳ）、再開条件に基づいて案件の再開時の再開状態を決定する（ステップ２０４）。また、再開条件・履歴保管部１３に保管されている再開条件に当該案件に該当するものが無ければ（ステップ２０２でＮＯ）、当該案件の停止直前の作業状態を取得し、再開状態として決定する（ステップ２０５）。
【００４３】
再開状態が決定すると、再開管理部１５は、案件・作業管理部１４に該当案件の処理の再開を指示し、これに応じて案件・作業管理部１４が作業状態を新規に作成し（ステップ２０６）、作成した作業状態を「実行中」に変更する（ステップ２０７）。
【００４４】
ここで、案件の再開時の条件があれば（ステップ２０８でＹＥＳ）、当該案件の指定された作業状態での値を作成した作業状態の初期値として取得する（ステップ２０９）。そして、当該初期値の少なくとも１つに対して変更を要する条件が指定されていれば（ステップ２１０でＹＥＳ）、変更した初期値を入力させる（ステップ２１１）。このとき、再開管理部１５は、操作者に対して、例えば、図１８に示すような画面を提供し、初期値の変更を促すこととなる。
【００４５】
一方、案件の再開時の条件が無ければ（ステップ２０８でＮＯ）、当該案件の直前の作業状態での値を作成した作業状態の初期値として取得する（ステップ２１２）。
【００４６】
案件・作業管理部１４が作業状態を新規に作成するか、該当案件が再開条件により再開不能と判断した場合には（ステップ２０３でＮＯ）、再開管理部１３は、これらの初期を再開履歴として、再開条件・履歴保管部１３に追加保管し（ステップ２１３）、再開処理を終了する。
【実施例３】
【００４７】
実施例１と実施例２では、案件に対する再開要求が発せられてから、再開の可否を判定する処理を行っていたが、実施例３では、再開の可否を含めて停止または終了した案件を一覧表示する場合を説明する。
【００４８】
図１９は、案件の一覧表示を行う際の処理の流れを示すフローチャートである。再開管理部１５は、案件の再開要求を受け付けると、案件・作業管理部１４から案件の実行状態（図７参照）を１案件分取得する（ステップ３０１）。そして、再開条件・履歴保管部１３に保管されている再開条件に取得した案件に該当するものがあるか否かを確認し、該当する再開条件が無い場合と（ステップ３０２でＮＯ）、該当する再開条件があり（ステップ３０２でＹＥＳ）、かつ、再開が可能である場合には（ステップ３０３でＹＥＳ）、再開管理部１５は、取得した案件の案件情報と、当該案件を再開対象として選択するための選択欄を表示する（ステップ３０４）。
【００４９】
一方、再開条件により取得した案件の再開が不能と確認された場合には（ステップ３０３でＮＯ）、再開管理部１５は、取得した案件の案件情報を表示する（ステップ３０５）。
【００５０】
再開管理部１５は、同様の処理を案件・作業管理部１４が実行状態を管理している全ての案件に対して行い（ステップ３０６でＹＥＳ）、案件・作業管理部１４が実行状態を管理している全ての案件に対して処理を行うと（ステップ３０６でＮＯ）、一覧表示処理を終了する。
【００５１】
再開管理部１５による一覧表示は、例えば、図２０に示すように、案件の情報が表示されるとともに、該当する案件を再開対象として選択するための選択欄４０１、選択欄４０２、案件の再開を指示するための指示ボタン４０３等が表示される。
【実施例４】
【００５２】
実施例４では、停止または終了している案件以外の案件を再実行の対象とする場合を説明する。再実行とする案件は、例えば、部門長承認に際して長期間放置されているような案件であり、読替条件として、作業状態と期間等を指定しておき、この読替条件に合致する案件を再実行の対象とするものである。
【００５３】
図２１は、読替処理の流れを示すフローチャートである。再開管理部１５は、読替処理を開始すると、案件・作業管理部１４から案件の現作業状態を取得する（ステップ５０１）。そして、取得した作業状態に対応する読替条件があり（ステップ５０２でＹＥＳ）、かつ、取得した作業状態が読替条件に合致した場合には（ステップ５０３でＹＥＳ）、再開管理部１５は、再開処理を実行し（ステップ５０４）、読替処理を終了する。
【００５４】
ステップ５０４で実行する再開処理は、実施例１で説明した処理または実施例２で説明した処理と同様の処理である。
【００５５】
なお、いずれの実施例においても、図６に示したワークフロー定義を例として説明したが、本願発明は、他のワークフロー定義にも適用することが可能である。
【図面の簡単な説明】
【００５６】
【図１】ワークフローシステムの構成例を示した図である。
【図２】情報処理装置の構成例の概略を示した図である。
【図３】作業管理装置１と入出力装置２の機能的な構成の構成例を示した図である。
【図４】作業管理装置１と入出力装置２の機能的な構成の構成例を示した図である。
【図５】ワークフローの定義例を示した図である。
【図６】ワークフローの定義例を図式化して示した図である。
【図７】各案件の実行状態を示した図である。
【図８】再開条件の例を示した図である。
【図９】再開条件記述画面例を示した図である。
【図１０】再開処理の流れを示すフローチャートである。
【図１１】案件履歴の例を示した図である。
【図１２】各案件の実行状態を示した図である。
【図１３】案件の作業状態での値を示した図である。
【図１４】再開履歴の例を示した図である。
【図１５】再開処理結果例を示した図である。
【図１６】再開条件の例を示した図である。
【図１７】再開処理の流れを示すフローチャートである。
【図１８】初期値入力画面例を示した図である。
【図１９】案件の一覧表示を行う際の処理の流れを示すフローチャートである。
【図２０】一覧表示画面例を示した図である。
【図２１】読替処理の流れを示すフローチャートである。
【符号の説明】
【００５７】
１    作業管理装置
２−１〜２−ｎ    入力装置
３    情報処理装置
４    表示装置
５    入力装置
１１    定義保管部
１２    案件履歴保管部
１３    再開条件・履歴保管部
１４    案件・作業管理部
１５    再開管理部
２１    定義記述部
２２    案件操作部
２３    再開条件記述部
４０１    選択欄
４０２    選択欄
４０３    指示ボタン
【図１】
2010086460.tif 000003
【図２】
2010086460.tif 000004
【図３】
2010086460.tif 000005
【図４】
2010086460.tif 000006
【図５】
2010086460.tif 000007
【図６】
2010086460.tif 000008
【図７】
2010086460.tif 000009
【図８】
2010086460.tif 000010
【図９】
2010086460.tif 000011
【図１０】
2010086460.tif 000012
【図１１】
2010086460.tif 000013
【図１２】
2010086460.tif 000014
【図１３】
2010086460.tif 000015
【図１４】
2010086460.tif 000016
【図１５】
2010086460.tif 000017
【図１６】
2010086460.tif 000018
【図１７】
2010086460.tif 000019
【図１８】
2010086460.tif 000020
【図１９】
2010086460.tif 000021
【図２０】
2010086460.tif 000022
【図２１】
2010086460.tif 000023